(57)【要約】【課題】原稿読取レンズの広画角化と性能の向上を可能ならしめる。【解決手段】原稿画像を読取るためのレンズであって、正レンズ３枚（Ｌ１、Ｌ２、Ｌ６）と負レンズ３枚（Ｌ３、Ｌ４、Ｌ５）と絞りＳＢとを有し、正レンズと負レンズの接合レンズを少なくとも１つ有するとともに、非球面を１面以上有し、絞りＳＢに隣接したレンズが非球面を有し、接合レンズの少なくとも１つが、絞りＳＢに隣接して配置されている。【選択図】                  図１
2005017506.tif 000002
【特許請求の範囲】
【請求項１】
原稿画像を読取るためのレンズであって、
正レンズ３枚と負レンズ３枚と絞りとを有し、上記正レンズと上記負レンズの接合レンズを少なくとも１つ有するとともに、非球面を１面以上有し、
上記絞りに隣接したレンズが非球面を有し、
上記接合レンズの少なくとも１つが、上記絞りに隣接して配置されていることを特徴とする原稿読取レンズ。
【請求項２】
請求項１記載の原稿読取レンズにおいて、
物体側から像側へ向かって順次、正の第１レンズからなる第１群、正の第２レンズと負の第３レンズが接合されて全体で負の屈折力を有する第２群、負の第４レンズからなる第３群、負の第５レンズと正の第６レンズが接合されて全体で正の屈折力を有する第４群とを配して構成された４群６枚構成であり、絞りが上記第２群と第３群の間に配されたことを特徴とする原稿読取レンズ。
【請求項３】
請求項２記載の原稿読取レンズにおいて、
第１レンズが物体側に凸面を向けて配置された正メニスカスレンズ、第２レンズが物体側に凸面を向けて配置された正メニスカスレンズ、第３レンズが物体側に凸面を向けて配置された負メニスカスレンズ、第４レンズが物体側に凹面を向けて配置された負メニスカスレンズ、第５レンズが物体側に凹面を向けて配置された負メニスカスレンズ、第６レンズが物体側に凹面を向けて配置された正メニスカスレンズであることを特徴とする原稿読取レンズ。
【請求項４】
請求項２または３記載の原稿読取レンズにおいて、
第１群のｅ線に対する焦点距離：ｆ１、第２群と第３群のｅ線に対する合成焦点距離：ｆ２３、全系のｅ線に対する合成焦点距離：ｆが、条件：
（１）    ０．９      ＜    ｆ１／ｆ      ＜    １．２
（２）  −１．６      ＜    ｆ２３／ｆ    ＜  −１．１
を満足することを特徴とする原稿読取レンズ。
【請求項５】
請求項２〜４の任意の１に記載の原稿読取レンズにおいて、
３枚の正レンズのｄ線に対する屈折率の平均値：ｎ凸、３枚の負レンズのｄ線に対する屈折率の平均値：ｎ凹が、条件：
（３）    −０．１      ＜    ｎ凸−ｎ凹    ＜  ０．０
を満足することを特徴とする原稿読取レンズ。
【請求項６】
請求項２〜５の任意の１に記載の原稿読取レンズにおいて、
３枚の正レンズのアッベ数の平均値：ν凸、３枚の負レンズのアッベ数の平均値：ν凹が、条件：
（４）    １７．０    ＜    ν凸−ν凹    ＜  ２０．０
を満足することを特徴とする原稿読取レンズ。
【請求項７】
請求項１〜６の任意の１に記載の原稿読取レンズにおいて、
半画角（度）：ω、開口効率：ＡＥが、条件：
（５）    １８．５  ＜  ω×ＡＥ
を満足することを特徴とする、原稿読取レンズ。
【請求項８】
請求項１〜７の任意の１に記載の原稿読取レンズを、鏡筒に組付け一体化してなる原稿読取レンズユニット。
【請求項９】
原稿を読取る装置であって、
原稿を支持する原稿支持手段と、
この原稿支持手段に支持された原稿を照明する照明手段と、
照明された原稿の像を結像させる原稿読取レンズと、
この原稿読取レンズにより結像された原稿の像を受光して電気信号に変換する撮像手段とを有し、
上記原稿読取レンズとして、請求項１〜７の任意の１に記載の原稿読取レンズを用いたことを特徴とする原稿読取装置。
【請求項１０】
請求項９記載の原稿読取装置において、
原稿支持手段が、原稿を平面的に定置するコンタクトガラスであり、
照明手段が、コンタクトガラスに載置された原稿をスリット状に照明し、スリット状の照明部に交わる方向へ原稿を走査する手段を有し、
撮像手段が、ラインセンサであることを特徴とする原稿読取装置。
【請求項１１】
請求項９または１０記載の画像読取装置において、色分解手段を有し、原稿情報をフルカラーで読取ることを特徴とする画像読取装置。
【請求項１２】
画像信号を書込んで上記画像信号に対応する画像を形成する画像形成装置であって、原稿画像を画像信号化する手段として請求項９〜１１の任意の１に記載の画像読取装置を有することを特徴とする画像形成装置。
【請求項１３】
請求項１２記載の画像形成装置において、
画像信号に対応する画像の書込みを、光書込みにより行うことを特徴とする画像形成装置。
【請求項１４】
請求項１３記載の画像形成装置において、
光書込みにより、光導電性の感光体に、形成すべき画像に対応する静電潜像を形成することを特徴とする画像形成装置。
【発明の詳細な説明】
【０００１】
【発明の属する技術分野】
この発明は、原稿読取レンズ・原稿読取レンズユニット及び原稿読取装置及び画像形成装置に関する。
【０００２】
【従来の技術】
デジタル複写装置やファクシミリ装置では、原稿を読取って画像信号化することが行われる。このために、原稿の像をＣＣＤ等の撮像手段の受光部に結像させるレンズが原稿読取レンズである。
【０００３】
原稿読取レンズとしては、従来から「４群６枚構成のガウスタイプのもの」が広く用いられてきている。ガウスタイプは、大口径としてもコマフレアの発生を小さく抑えられるタイプであるが、大多数のものが半画角：１８度程度である。
【０００４】
ガウスタイプの中でも「比較的広画角のもの」として、特許文献１〜５に記載のものが知られているが、これらのもののうちで「最も画角が大きいもの」でも半画角：２０度程度が限界となっている。
【０００５】
ガウスタイプ以外の原稿読取レンズとして、ガウスタイプと同じく４群６枚構成の「変形クセノタタイプ」が知られている（特許文献６）が、この文献に記載された原稿読取レンズの場合も半画角：１７．６度が最大である。
【０００６】
原稿読取レンズの画角が小さいと、原稿から撮像手段に至る光路長を短くすることができず、画像読取装置の小型化が困難である。
【０００７】
【特許文献１】
特開平６−３４２１２０号公報
【特許文献２】
特開平８−１４６２９２号公報
【特許文献３】
特開平９−１１３８０２号公報
【特許文献４】
特開平９−１７１１３６号公報
【特許文献５】
特開平９−３０４６９６号公報
【特許文献６】
特開平１０−３３３０２９号公報
【０００８】
【発明が解決しようとする課題】
この発明は、原稿読取レンズにおいて、広画角化と性能の向上を可能ならしめることを課題とする。この発明はまた、高性能で広画角の原稿読取レンズを用いた新規な原稿読取装置、さらにこの原稿読取装置を有する画像形成装置の実現を課題とする。
【０００９】
【課題を解決するための手段】
この発明の原稿読取レンズは「原稿画像を読取るためのレンズ」である。
即ち、原稿読取レンズは「原稿画像の縮小像を、撮像手段の受光部に結像させる」ためのレンズである。
【００１０】
請求項１記載の原稿読取レンズは、以下のごとき特徴を有する。
即ち、３枚の「正レンズ」と、３枚の「負レンズ」と「絞り」とを有する。即ち、レンズの構成枚数は６枚である。レンズ系中に「正レンズと負レンズの接合レンズ」を少なくとも１つ有する。そして、１以上のレンズ面が「非球面」である。また、「絞りに隣接したレンズ」が非球面を有し、接合レンズのうちの少なくとも１つが「絞りに隣接して配置」される。
【００１１】
この請求項１記載の原稿読取レンズは「物体側から像側へ向かって順次、正の第１レンズからなる第１群、正の第２レンズと負の第３レンズが接合されて全体で負の屈折力を有する第２群、負の第４レンズからなる第３群、負の第５レンズと正の第６レンズが接合されて全体で正の屈折力を有する第４群とを配してなる４群６枚構成で、絞りが第２群と第３群の間に配された構成」とすることができる（請求項２）。
【００１２】
この請求項２記載の原稿読取レンズは、第１レンズが「物体側に凸面を向けて配置された正メニスカスレンズ」、第２レンズが「物体側に凸面を向けて配置された正メニスカスレンズ」、第３レンズが「物体側に凸面を向けて配置された負メニスカスレンズ」、第４レンズが「物体側に凹面を向けて配置された負メニスカスレンズ」、第５レンズが「物体側に凹面を向けて配置された負メニスカスレンズ」、第６レンズが「物体側に凹面を向けて配置された正メニスカスレンズ」であることができる（請求項３）。
【００１３】
上記請求項２または３記載の原稿読取レンズは、第１群のｅ線に対する焦点距離：ｆ１、第２群と第３群のｅ線に対する合成焦点距離：ｆ２３、全系のｅ線に対する合成焦点距離：ｆが、条件：
（１）    ０．９      ＜    ｆ１／ｆ      ＜    １．２
（２）  −１．６      ＜    ｆ２３／ｆ    ＜  −１．１
を満足することが好ましい（請求項４）。
【００１４】
また、請求項２〜４の任意の１に記載の原稿読取レンズは、３枚の正レンズのｄ線に対する屈折率の平均値：ｎ凸、３枚の負レンズのｄ線に対する屈折率の平均値：ｎ凹が、条件：
（３）    −０．１      ＜    ｎ凸−ｎ凹    ＜  ０．０
を満足することが好ましい（請求項５）。
【００１５】
請求項２〜５の任意の１に記載の原稿読取レンズは、３枚の正レンズのアッベ数の平均値：ν凸、３枚の負レンズのアッベ数の平均値：ν凹が、条件：
（４）    １７．０    ＜    ν凸−ν凹    ＜  ２０．０
を満足することが好ましい（請求項６）。
【００１６】
請求項１〜６の任意の１に記載の原稿読取レンズはまた、半画角（度）：ω、開口効率：ＡＥが、条件：
（５）    １８．５  ＜  ω×ＡＥ
を満足することが好ましい（請求項７）。
【００１７】
この発明の「原稿読取レンズユニット」は、上記請求項１〜７の任意の１に記載の原稿読取レンズを、鏡筒に組付け一体化してなる（請求項８）。
【００１８】
この発明の原稿読取装置は、原稿を読取る装置であって、原稿支持手段と、照明手段と、原稿読取レンズと、撮像手段とを有する（請求項９）。
「原稿支持手段」は、読取るべき原稿を支持する手段である。
「照明手段」は、原稿支持手段に支持された原稿を照明する手段である。
【００１９】
「原稿読取レンズ」は、照明された原稿の像を結像させるレンズである。
「撮像手段」は、原稿読取レンズにより結像された原稿の像を受光して電気信号に変換する手段である。
上記原稿読取レンズとして、請求項１〜７の任意の１に記載の原稿読取レンズが用いられる。
【００２０】
請求項９記載の原稿読取装置は、原稿支持手段が「原稿を平面的に定置するコンタクトガラス」であり、照明手段が「コンタクトガラスに載置された原稿をスリット状に照明し、スリット状の照明部に交わる方向へ原稿を走査する手段」を有し、撮像手段が「ラインセンサ」であることができる（請求項１０）。
【００２１】
請求項１０記載の原稿読取装置では「コンタクトガラスに平面的に定置された原稿が照明手段により照明走査される」が、請求項９記載の原稿読取装置は「照明装置と原稿読取レンズとラインセンサとの位置関係を固定し、読取るべき原稿をラインセンサに共役な位置におかれたコンタクトガラス上においてスリット状に照明しつつ、原稿をスリット状の照明位置に交わる方向へ移動させて原稿の照明走査を行う」ように構成してもよい。この場合のコンタクトガラスは細幅のもので原稿を照明するのに必要な幅を有していればよい。
【００２２】
請求項９記載の原稿読取装置はまた「読取るべき原稿を原稿ガラス上に平面的に定置して原稿全面を所定の照度分布で照明し、原稿全面の縮小画像を原稿読取レンズによりエリアセンサの受光面上に結像させて原稿の全面を同時に読取る」ように構成することも可能である。
【００２３】
請求項９または１０記載の画像読取装置は「色分解手段を有し、原稿情報をフルカラーで読取る」ように構成することができる（請求項１１）。
【００２４】
この発明の画像形成装置は「画像信号を書込んで画像信号に対応する画像を形成する画像形成装置」であって、原稿画像を画像信号化する手段として、請求項９〜１１の任意の１に記載の画像読取装置を有することを特徴とする（請求項１２）。
【００２５】
請求項１２記載の画像形成装置における画像書込みは、インクジェット方式やインクリボン方式、感熱方式等、公知の種々の方法で行うことができるが、「画像信号に対応する画像を、光書込みにより書込む」ことにより行うことができる（請求項１３）。この場合、光書込みによる書込みは、銀塩フィルム等に対して行ってもよいが、「光導電性の感光体に光書込みを行い、形成すべき画像に対応する静電潜像を形成する」ことができる（請求項１４）。
【００２６】
請求項１記載の原稿読取レンズは、正・負３枚ずつ、合計６枚のレンズで構成される。このような正・負３枚ずつのレンズの組合せにより「広角化」が可能となり、諸収差の良好な補正も可能となる。また、正・負レンズの接合レンズをレンズ中に含めることにより良好な「色収差補正」が可能になる。さらに、１以上の被球面の採用により高性能の実現が可能である。
【００２７】
非球面レンズは一般的に成形により製造されるが、レンズ外径が大きくなると成形のための成形機が大型化するなど設備上の制約が大きくなる。また、成形時間が長くなり非球面レンズのコストアップを招来するのみならず、レンズ面精度を良好に保つことが困難になり、原稿読取レンズの結像性能劣化の原因となる。
【００２８】
請求項１記載の原稿読取レンズは、レンズ系中で外径を最も小さくできる「絞りに隣接したレンズ」に非球面を形成することにより、外被球面を持つ被球面レンズ作製上の制約、コストアップ、レンズ面精度劣化を有効に回避できるようにしている。
【００２９】
請求項１記載の原稿読取レンズは、上記の如く、色収差補正のために少なくとも１個の接合レンズを有している。例えば「原稿をフルカラーで読取る」場合には、原稿読取レンズの色収差を良好に補正する必要がある。このとき「結像光束がレンズ内で最小となる絞り位置」に隣接して、色収差補正のための接合レンズを配置することにより良好な色収差補正を可能としている。
【００３０】
また、請求項２記載の原稿読取レンズのように、各レンズを「絞りを中心に略対称的に配置」すると、特に像面湾曲や歪曲収差、倍率の色収差などの良好な補正が容易となる。
【００３１】
このようなレンズ配置を実現し易いレンズ形態は、請求項３記載の原稿読取レンズのように、第１レンズが物体側に凸面を向けて配置された正メニスカスレンズ、第２レンズが物体側に凸面を向けて配置された正メニスカスレンズ、第３レンズが物体側に凸面を向けて配置された負メニスカスレンズ、第４レンズが物体側に凹面を向けて配置された負メニスカスレンズ、第５レンズが物体側に凹面を向けて配置された負メニスカスレンズ、第６レンズが物体側に凹面を向けて配置された正メニスカスレンズであるような形態である。
【００３２】
このように「全てのレンズをメニスカス形状とする」ことにより、レンズ系をコンパクトに保ちながら、緒収差の良好な補正が可能となる。
【００３３】
条件（１）は「第１群のパワーの好ましい範囲」に関するものである。
パラメータ：ｆ１／ｆを上限値の１．２よりも小さくすることにより、「第１群のパワーが弱くなってレンズ寸法が大きくなりコストアップを招来する」ことを有効に回避でき、下限値の０．９よりも大きくすることによって「コマフレアが増大する」のを回避できる。
【００３４】
条件（２）は「負のパワーを有する第２群と第３群の合成パワーの、好ましい範囲」に関するものである。
パラメータ：ｆ２３／ｆを上限値：−１．１よりも小さくすることにより、球面収差・像面湾曲の補正過剰、周辺でのコマ収差の悪化を回避でき、下限値：−１．６より大きくすることにより、球面収差・像面湾曲の補正不足、中間画角での非点隔差の増大、中間画角でのコマ収差の悪化を回避できる。
【００３５】
即ち、条件（２）を満足することにより、球面収差・像面湾曲を過不足なく補正でき、中間画角での非点隔差の増大を抑え、中間・周辺領域までコマ収差を良好に保つことができる。
【００３６】
条件（３）は、原稿読取レンズを構成する「凸レンズと凹レンズの屈折率の好ましい範囲」に関するものである。
パラメータ：ｎ凸−ｎ凹が条件（３）を満足することにより、ペッツバール和が過大（上限値：０．０より大きくなる場合）若しくは過小（下限値：−０．１より小さくなる場合）になることを回避でき、像面湾曲・非点隔差を良好に補正して、像面全域にわたり良好な結像性能を得ることができる。
条件（４）は「軸上の色収差の良好な補正」に関するものである。
パラメータ：ν凸−ν凹を上限値：２０．０より小さくすることにより「軸上色収差が補正過剰となって、主波長より短波長側で軸上の色収差が正の側に大きくなる」ことを回避でき、下限値：１７．０より大きくすることにより「軸上の色収差が補正不足になり主波長より短波長側で負の側に軸上の色収差が大きくなる」ことを回避することができる。即ち、条件（４）を満足することにより、軸上の色収差は良好に補正される。
【００３７】
条件（５）は「周辺部の光量劣化の有効な軽減」に関するものである。
後述の実施例に挙げる「半画角が２３度を越える広角な原稿読取レンズ」を用いる場合、周辺の光束が開口絞り一杯に通過しても、所謂「瞳収差」により開口効率の劣化がおきる。周辺の光量は軸上に対し、開口効率と所謂「コサイン４乗則」により、軸上に対して光量が減少する。
【００３８】
原稿読取では「像面において均一な光量分布とする」ことが理想であり、周辺光量の劣化量が大きいと「周辺部の地汚れ」などの不具合が生じる。このため、例えばメカシェーディングと呼ばれるメカシェーディング板等により、軸上の光束を遮光して像面の光量を均一にすることや、エレキシェーディングと呼ばれる「電気的に周辺部の出力をあげる」操作が一般に行われる。
【００３９】
条件（５）のパラメータ：ω×ＡＥで、開口効率：ＡＥが小さくなり過ぎると、メカシェーディングでは「軸上光束の遮光率を大きくする必要」が生じ、実質的な光量ダウンの原因となり、エレキシェーディングでは「周辺にノイズが多く発生」する不具合がある。
【００４０】
条件（５）を満足することで、周辺部の光量劣化を有効に軽減して実使用上問題を生じないようにすることができる。なお、パラメータ：ω×ＡＥの上限は、設計上の半画角の最大値と開口効率：ＡＥの最大値とにより定まる。
【００４１】
【発明の実施の形態】
以下に、原稿読取レンズの具体的な実施例を挙げる。
【００４２】
図１は、以下の各実施例に共通のレンズ構成を示す。図の左方が原稿側で、符号ＣＧは「コンタクトガラス」を示す。図の右側は撮像手段側であり、符号ＣＶＧは撮像手段として想定された「ＣＣＤラインセンサのカバーガラス」を示す。
【００４３】
符号Ｌ１は第１レンズ（正レンズ）、符号Ｌ２は第２レンズ（正レンズ）、符号Ｌ３は第３レンズ（負レンズ）、符号ＳＢは絞り、符号Ｌ４は第４レンズ（負レンズ）、符号Ｌ５は第５レンズ（負レンズ）、符号Ｌ６は第５レンズ（正レンズである。第２レンズＬ２と第３レンズＬ３とは接合されて「第２群」を構成し、第５レンズＬ５と第６レンズＬ６とは接合されて「第４群」を構成する。
【００４４】
各実施例における記号の意味は図１に例示するように、下記の通りである。
【００４５】
ｆ      ：全系のｅ線に対する合成焦点距離
ＦＮｏ  ：Ｆナンバ
ｍ      ：縮率
ω      ：半画角（度）
Ｙ      ：物体高
ＡＥ    ：開口効率
ｉ      ：原稿読取レンズにおける物体側から数えてｉ番目の面（絞りの面を含む）
ｒｉ（ｉ＝１〜１１）  ：物体側から数えてｉ番目の面（絞りの面を含む）の曲率半径
ｄｉ（ｉ＝１〜１０）  ：物体側から数えてｉ番目の面とｉ＋１番目の面との面間隔
ｃ１      ：コンタクトガラスの原稿側面
ｃ２      ：コンタクトガラスの像側面
ｃ３      ：撮像手段としてのＣＣＤのカバーガラスの原稿側面
ｃ４      ：撮像手段としてのＣＣＤのカバーガラスの像側面
ｎｄ      ：ｄ線に対する屈折率
ｎｅ      ：ｅ線に対する屈折率
νｄ      ：アッベ数
ｆ１      ：第１レンズのｅ線に対する焦点距離
ｎ凸      ：正の屈折力を有するレンズのｎｄの平均
ｎ凹      ：負の屈折力を有するレンズのｎｄの平均
ν凸      ：正の屈折力を有するレンズのνｄの平均
ν凹      ：負の屈折力を有するレンズのνｄの平均            。
【００４６】
「非球面」は下式で表す。
【００４７】
Ｘ＝｛（１／Ｒ）×Ｙ２｝／［１＋√｛（１−（１＋Ｋ）×（Ｙ／Ｒ）２）｝］＋Ａ４×Ｙ４＋Ａ６×Ｙ６＋Ａ８×Ｙ８＋Ａ１０×Ｙ１０
ここで、
Ｘ：光軸から高さＹにおける非球面の非球面頂点における接平面からの距離
Ｙ：光軸からの高さ
Ｒ：非球面の近軸曲率半径
Ｋ：円錐乗数
Ａ４，Ａ６，Ａ８，Ａ１０：非球面係数
また、数値例の記載中「Ｅ−ＸＹ」は「１０−ＸＹ」を意味する。
【００４８】
収差図において、
「ｅ」はｅ線（５４６．０７ｎｍ）
「ｇ」はｇ線（４３６．８３ｎｍ）
「ｃ」はｃ線（６５６．２７ｎｍ）
「Ｆ」はＦ線（４８６．１３ｎｍ）を示す。
【００４９】
球面収差の図で「ｅ線に対する破線は正弦条件」、非点収差の図で「実線はサジタル光線、破線はメリディオナル光線」を示す。
【００５０】
【実施例】
実施例１
ｆ＝６６．６５０  、Ｆ＝４．９９  、ｍ＝０．２３６２２  、Ｙ＝１５２．４  、ω＝２３．６゜、
ＡＥ＝８１．０％、ω×ＡＥ＝１９．１２
実施例１のデータを表１に示す。
【００５１】
【表１】
2005017506.tif 000003
【００５２】
「非球面係数」
実施例１の被球面係数を表２に示す。
【００５３】
【表２】
2005017506.tif 000004
【００５４】
「条件の各パラメータの値」
実施例１の「条件の各パラメータの値」を表３に示す。
【００５５】
【表３】
2005017506.tif 000005
【００５６】
図２に、実施例１の原稿読取レンズの構成図を示し、図３に、実施例１の収差図を示す。
【００５７】
実施例２
ｆ＝６６．３５３  、Ｆ＝５．０４  、ｍ＝０．２３６２２  、Ｙ＝１５２．４  、ω＝２３．７゜、
ＡＥ＝８３．９％、ω×ＡＥ＝１９．８８
実施例２のデータを表４に示す。
【００５８】
【表４】
2005017506.tif 000006
【００５９】
「非球面係数」
実施例２の被球面係数を表５に示す。
【００６０】
【表５】
2005017506.tif 000007
【００６１】
「条件の各パラメータの値」
実施例２の「条件の各パラメータの値」を表６に示す。
【００６２】
【表６】
2005017506.tif 000008
【００６３】
図４に、実施例２の原稿読取レンズの構成図を示し、図５に、実施例２の収差図を示す。
【００６４】
実施例３
ｆ＝６６．２８３  、Ｆ＝４．９８  、ｍ＝０．２３６２２  、Ｙ＝１５２．４  、ω＝２３．７゜、
ＡＥ＝８３．５％、ω×ＡＥ＝１９．７９
実施例３のデータを表７に示す。
【００６５】
【表７】
2005017506.tif 000009
【００６６】
「非球面係数」
実施例３の被球面係数を表８に示す。
【００６７】
【表８】
2005017506.tif 000010
【００６８】
「条件の各パラメータの値」
実施例３の「条件の各パラメータの値」を表９に示す。
【００６９】
【表９】
2005017506.tif 000011
【００７０】
図６に、実施例３の原稿読取レンズの構成図を示し、図７に、実施例３の収差図を示す。
【００７１】
実施例４
ｆ＝６７．１０７  、Ｆ＝４．９９  、ｍ＝０．２３６２２  、Ｙ＝１５２．４  、ω＝２３．５゜、
ＡＥ＝８０．４％、ω×ＡＥ＝１８．８９
実施例４のデータを表１０に示す。
【００７２】
【表１０】
2005017506.tif 000012
【００７３】
「非球面係数」
実施例４の被球面係数を表１１に示す。
【００７４】
【表１１】
2005017506.tif 000013
【００７５】
「条件の各パラメータの値」
実施例４の「条件の各パラメータの値」を表１２に示す。
【００７６】
【表１２】
2005017506.tif 000014
【００７７】
図８に、実施例４の原稿読取レンズの構成図を示し、図９に、実施例４の収差図を示す。
【００７８】
上に挙げた実施例１〜４の原稿読取レンズは何れも、原稿画像を読取るためのレンズであって、正レンズ３枚（Ｌ１、Ｌ２、Ｌ６）と負レンズ３枚（Ｌ３、Ｌ４、Ｌ５）と絞りＳＢとを有し、正レンズと負レンズの接合レンズを少なくとも１つ有するとともに、非球面を１面以上有し、絞りＳＢに隣接したレンズが非球面を有し、接合レンズの少なくとも１つが、絞りに隣接して配置されている（請求項１）。
【００７９】
また、物体側から像側へ向かって順次、正の第１レンズＬ１からなる第１群、正の第２レンズＬ２と負の第３レンズＬ３が接合されて全体で負の屈折力を有する第２群、負の第４レンズＬ４からなる第３群、負の第５レンズＬ５と正の第６レンズＬ６が接合されて全体で正の屈折力を有する第４群とを配してなる構成された４群６枚構成で、絞りＳＢが第２群と第３群の間に配され（請求項２）、第１レンズＬ１が物体側に凸面を向けて配置された正メニスカスレンズ、第２レンズＬ２が物体側に凸面を向けて配置された正メニスカスレンズ、第３レンズＬ３が物体側に凸面を向けて配置された負メニスカスレンズ、第４レンズＬ４が物体側に凹面を向けて配置された負メニスカスレンズ、第５レンズＬ５が物体側に凹面を向けて配置された負メニスカスレンズ、第６レンズＬ６が物体側に凹面を向けて配置された正メニスカスレンズである（請求項３）。
【００８０】
第１群のｅ線に対する焦点距離：ｆ１、第２群と第３群のｅ線に対する合成焦点距離：ｆ２３、全系のｅ線に対する合成焦点距離：ｆは、条件：
（１）    ０．９      ＜    ｆ１／ｆ      ＜    １．２
（２）  −１．６      ＜    ｆ２３／ｆ    ＜  −１．１
を満足し（請求項４）、３枚の正レンズＬ１、Ｌ２、Ｌ６のｄ線に対する屈折率の平均値：ｎ凸、３枚の負レンズＬ３、Ｌ４、Ｌ５のｄ線に対する屈折率の平均値：ｎ凹が、条件：
（３）    −０．１      ＜    ｎ凸−ｎ凹    ＜  ０．０
を満足する（請求項５）とともに、３枚の正レンズＬ１、Ｌ２、Ｌ６のアッベ数の平均値：ν凸、３枚の負レンズＬ３、Ｌ４、Ｌ５のアッベ数の平均値：ν凹が、条件：
（４）    １７．０    ＜    ν凸−ν凹    ＜  ２０．０
を満足する（請求項６）。
【００８１】
そして、半画角（度）：ω、開口効率：ＡＥが、条件：
（５）  １８．５  ＜  ω×ＡＥ
を満足する（請求項７）。
【００８２】
【発明の実施の形態】
図１０は、原稿読取装置の実施の１形態を要部のみ示している。
図１０において、読取られるべき原稿２は、原稿支持手段としてのコンタクトガラス１上に平面的に定置され、コンタクトガラス１の下部に配置された図示されない照明光学系により「図面に直交する方向に長いスリット状部分」が照明される。
【００８３】
原稿１の照明された部分からの反射光は、第１走行体３に設けられた第１ミラー３Ａにより反射された後、第２走行体４に設けられた第２ミラー４Ａ、第３ミラー４Ｂにより順次反射され、原稿読取レンズユニット５の鏡筒に組付けられた原稿読取レンズを透過し、撮像手段としてのラインセンサ６の受光部上に原稿の縮小像として結像する。「原稿読取レンズ」としては、例えば、上記実施例１〜４の何れかの原稿読取レンズが使用される。
【００８４】
第１走行体３、第２走行体４は、図示されない駆動手段により、それぞれ矢印方向（図の右方）へ走行させられる。第１走行体３は速度：Ｖで走行し、第２走行体４は速度：Ｖ／２で走行する。この走行により、第１走行体３、第２走行体４は、それぞれ破線で示す位置まで変位する。
【００８５】
図示されない照明光学系は第１走行体３と一体的に移動し、コンタクトガラス１上の原稿２の全体を「照明走査」する。第１、第２走行体の移動速度比はＶ：Ｖ／２であるので、照明走査される原稿部分から原稿読取レンズに至る光路長は不変に保たれる。
【００８６】
ラインセンサ６はＣＣＤであり、原稿２の照明走査に伴い、原稿画像を画像信号化する。このようにして原稿２の読取が実行される。
【００８７】
即ち、図１０に示す原稿読取装置は、原稿を読取る装置であって、原稿２を支持する原稿支持手段１と、この原稿支持手段１に支持された原稿２を照明する照明手段（図示されない照明光学系と、第１、第２走行体３、４と、これら走行体に保持された第１〜第３ミラー３Ａ、４Ａ、４Ｂと、走行体３、４を走行させる図示されない駆動手段により構成される。）と、照明された原稿２の像を結像させる原稿読取レンズ（原稿読取レンズユニット５の鏡筒に組付けられている。）と、この原稿読取レンズにより結像された原稿の像を受光して電気信号に変換する撮像手段６とを有し、原稿読取レンズとして、請求項１〜７の任意の１に記載の原稿読取レンズを用いたもの（請求項９）である。
【００８８】
また、「原稿支持手段」が、原稿を平面的に定置するコンタクトガラス１であり、照明手段が、コンタクトガラス１に載置された原稿２をスリット状に照明し、スリット状の照明部に交わる方向へ原稿を走査する手段を有し、「撮像手段」がラインセンサ６である（請求項１０）。
【００８９】
原稿読取装置の他の形態として「コンタクトガラス上の原稿をスリット状に照明する照明手段と、ラインセンサと、原稿の非照明部からラインセンサに至る結像光路を形成する複数のミラーと、上記結像光路上に配置される原稿読取レンズと」を相互に一体化した読取ユニットを、駆動手段により原稿に相対的に走行させることにより原稿を読取走査するようにした形態のものとすることもできる。
【００９０】
また、原稿読取レンズは、原稿送り装置（所謂ＡＤＦ）内に配置して、原稿の両面読取時の「原稿裏面読取用」としても使用可能である。
【００９１】
また、図１０の原稿読取装置に「色分解手段」を設け、原稿情報をフルカラーで読取るようにすることもできる（請求項１１）。
【００９２】
色分解手段による「色分解」は、原稿読取レンズとラインセンサ（ＣＣＤ）との間に色分解プリズムやフィルタを選択的に挿入し、Ｒ（赤）、Ｇ（緑）、Ｂ（青）に色分解する方法や、「Ｒ、Ｇ、Ｂの光源を順次点灯させ原稿を照明する方法」、「Ｒ、Ｇ、Ｂのフィルタを持った受光素子が１チップに３列に配列されている３ラインＣＣＤを用い、その受光面にカラー画像を結像させることにより３原色に色分解する方法」など適宜の方法を用いることができる。
【００９３】
図１１は、画像形成装置の実施の１形態を示す。
この画像形成装置は、装置上部に位置する原稿読取装置２００と、その下位に位置する「画像形成部」とを有する。原稿読取装置２００の部分は、図１０に即して説明したのと同様のものであり、各部には図１０と同じ符号を付してある。
【００９４】
画像読取装置２００におけるラインセンサ（撮像手段）６から出力される画像信号は信号処理部１２０に送られ、信号処理部１２０において処理されて「書込み用の信号」に変換される。
【００９５】
画像形成部は、潜像担持体として、円筒状に形成された光導電性の感光体１１０を有し、その周囲に、帯電手段としての帯電ローラ１１１、現像装置１１３、転写ローラ１１４、クリーニング装置１１５が配設されている。帯電手段としては帯電ローラ１１１に代えて「コロナチャージャ」を用いることもできる。また、転写手段として転写ローラに代えて「コロナ放電式のもの」を用いることもできる。
【００９６】
信号処理部１２０から「書込み用の信号」を受けて光走査により感光体１１０に書込みを行う光走査装置１１７は、帯電ローラ１１１と現像装置１１３との間において感光体１１０の光走査を行うようになっている。
【００９７】
符号１１６は定着装置、符号１１８はカセット、符号１１９はレジストローラ対、符号１２０は給紙コロ、符号１２１はトレイ、符号Ｓは記録媒体としての転写紙を示している。
【００９８】
画像形成を行うときは、光導電性の感光体１１０が時計回りに等速回転され、その表面が帯電ローラ１１１により均一帯電され、光走査装置１１７のレーザビームの光書込による露光を受けて静電潜像が形成される。形成された静電潜像は所謂「ネガ潜像」であって画像部が露光されている。
【００９９】
この静電潜像は現像装置１１３により反転現像され、感光体１１０上にトナー画像が形成される。
転写紙Ｓを収納したカセット１１８は画像形成装置本体に脱着可能であり、図のごとく装着された状態において、収納された転写紙Ｓの最上位の１枚が給紙コロ１２０により給紙され、給紙された転写紙Ｓは、その先端部をレジストローラ対１１９に捕らえられる。
【０１００】
レジストローラ対１１９は、感光体１１０上のトナー画像が転写位置へ移動するのにタイミングを合わせて、転写紙Ｓを転写部へ送り込む。送り込まれた転写紙Ｓは転写部においてトナー画像と重ね合わせられ、転写ローラ１１４の作用によりトナー画像を静電転写される。
【０１０１】
トナー画像を転写された転写紙Ｓは定着装置１１６へ送られ、定着装置１１６においてトナー画像を定着され、図示されないガイド手段により形成された搬送路を通り、図示されない排紙ローラ対によりトレイ１２１上に排出される。
【０１０２】
トナー画像が転写された後の感光体１１０の表面は、クリーニング装置１１５によりクリーニングされ、残留トナーや紙粉等が除去される。
【０１０３】
即ち、図１１に実施の形態を示した画像形成装置は、画像信号を書込んで画像信号に対応する画像を形成する画像形成装置であって、原稿画像を画像信号化する手段として、請求項９〜１１の任意の１に記載の画像読取装置２００を有する（請求項１２）。
【０１０４】
また、画像信号に対応する画像の書込みを光書込みにより行い（請求項１３）、光書込みにより、光導電性の感光体１１０に、形成すべき画像に対応する静電潜像を形成する（請求項１４）。
【０１０５】
【発明の効果】
以上に説明したように、この発明によれば、新規な原稿読取レンズ・原稿読取レンズユニット及び原稿読取装置及び画像形成装置を実現できる。
この発明の原稿読取レンズは、実施例にも示されたように、半画角：２３度以上という従来にない広画角と良好な性能の実現が可能である。したがって、このような広画角で性能の良好な原稿読取レンズを用いることにより、原稿読取装置やこれを用いる画像形成装置を小型化することができ、また、良好な原稿読取と、その結果得られる良好な画像信号により良好な画像形成を実現できる。
【図面の簡単な説明】
【図１】原稿読取レンズの構成を例示する図である。
【図２】実施例１の原稿読取レンズの構成を示す図である。
【図３】実施例１に関する収差図である。
【図４】実施例２の原稿読取レンズの構成を示す図である。
【図５】実施例２に関する収差図である。
【図６】実施例３の原稿読取レンズの構成を示す図である。
【図７】実施例３に関する収差図である。
【図８】実施例４の原稿読取レンズの構成を示す図である。
【図９】実施例４に関する収差図である。
【図１０】原稿読取装置の実施の１形態を説明するための図である。
【図１１】画像形成装置の実施の１形態を説明するための図である。
【符号の説明】
Ｌ１      第１レンズ
Ｌ２      第２レンズ
Ｌ３      第３レンズ
Ｌ４      第４レンズ
Ｌ５      第５レンズ
Ｌ６      第６レンズ
ＳＢ      絞り
【図１】
2005017506.tif 000015
【図２】
2005017506.tif 000016
【図３】
2005017506.tif 000017
【図４】
2005017506.tif 000018
【図５】
2005017506.tif 000019
【図６】
2005017506.tif 000020
【図７】
2005017506.tif 000021
【図８】
2005017506.tif 000022
【図９】
2005017506.tif 000023
【図１０】
2005017506.tif 000024
【図１１】
2005017506.tif 000025